(57)【要約】【課題】色・感度モザイク画像を元にして、各画素の感度特性が均一化されており、かつ、各画素が色バランスの調整された全ての色成分を有し、かつ、ノイズが抑制された復元画像を生成する。【解決手段】ステップＳ１において、色バランス補正部は、供給された色・モザイク画像の色バランスを補正する。ステップＳ２において、感度別色画像生成部は、色バランス補正部から供給された色バランス補正済みの色・感度モザイク画像に基づいて感度別色画像を生成する。ステップＳ３において、画像合成部は、感度別色画像生成部によって生成された、感度特性が異なり、同一の色成分を有する２枚の感度別色画像の対応する画素対を合成して広ダイナミックレンジの色画像を生成する。【選択図】図４０
2007209012.tif 000002
【特許請求の範囲】
【請求項１】
各画素が複数の色成分のうちのいずれかの色成分を有し、かつ、光強度に対する複数の感度特性のうちのいずれかの感度特性を有する色・感度モザイク画像を元にして、各画素の感度特性が均一化されており、かつ、各画素が前記複数の色成分を有する復元画像を生成する画像処理装置において、
前記色・感度モザイク画像の色成分と感度特性の配列を示す色・感度モザイクパターン情報に基づき、前記色・感度モザイク画像を元にして、各画素の感度特性が均一であって、かつ、各画素の単一の色成分を有する感度別色画像を生成する感度別色画像生成手段と、
前記感度別色画像生成手段によって生成された、同一の色成分を有し、感度特性が異なる複数の前記感度別色画像を合成して広ダイナミックレンジの色画像を生成する合成手段と
を含むことを特徴とする画像処理装置。
【請求項２】
前記感度別色画像生成手段は、前記色・感度モザイク画像を構成する全ての画素のうち、同一の感度特性を有し、かつ、同一の色成分を有する画素を用いた補間処理によって前記感度別色画像を生成する
ことを特徴とする請求項１に記載の画像処理装置。
【請求項３】
前記合成手段は、
前記複数の前記感度別色画像の対応する画素同士を加算して加算画像を生成する加算手段と、
前記加算画像を構成する画素の感度特性を補償する感度特性補償手段と
を含むことを特徴とする請求項１に記載の画像処理装置。
【請求項４】
各画素が複数の色成分のうちのいずれかの色成分を有し、かつ、光強度に対する複数の感度特性のうちのいずれかの感度特性を有する色・感度モザイク画像を元にして、各画素の感度特性が均一化されており、かつ、各画素が前記複数の色成分を有する復元画像を生成する画像処理装置の画像処理方法において、
前記色・感度モザイク画像の色成分と感度特性の配列を示す色・感度モザイクパターン情報に基づき、前記色・感度モザイク画像を元にして、各画素の感度特性が均一であって、かつ、各画素の単一の色成分を有する感度別色画像を生成する感度別色画像生成ステップと、
前記感度別色画像生成ステップの処理で生成された、同一の色成分を有し、感度特性が異なる複数の前記感度別色画像を合成して広ダイナミックレンジの色画像を生成する合成ステップと
を含むことを特徴とする画像処理方法。
【請求項５】
各画素が複数の色成分のうちのいずれかの色成分を有し、かつ、光強度に対する複数の感度特性のうちのいずれかの感度特性を有する色・感度モザイク画像を元にして、各画素の感度特性が均一化されており、かつ、各画素が前記複数の色成分を有する復元画像を生成するためのプログラムであって、
前記色・感度モザイク画像の色成分と感度特性の配列を示す色・感度モザイクパターン情報に基づき、前記色・感度モザイク画像を元にして、各画素の感度特性が均一であって、かつ、各画素の単一の色成分を有する感度別色画像を生成する感度別色画像生成ステップと、
前記感度別色画像生成ステップの処理で生成された、同一の色成分を有し、感度特性が異なる複数の前記感度別色画像を合成して広ダイナミックレンジの色画像を生成する合成ステップと
を含むことを特徴とするコンピュータが読み取り可能なプログラムが記録されている記録媒体。
【請求項６】
各画素が複数の色成分のうちのいずれかの色成分を有し、かつ、光強度に対する複数の感度特性のうちのいずれかの感度特性を有する色・感度モザイク画像を元にして、各画素の感度特性が均一化されており、かつ、各画素が前記複数の色成分を有する復元画像を生成するコンピュータに、
前記色・感度モザイク画像の色成分と感度特性の配列を示す色・感度モザイクパターン情報に基づき、前記色・感度モザイク画像を元にして、各画素の感度特性が均一であって、かつ、各画素の単一の色成分を有する感度別色画像を生成する感度別色画像生成ステップと、
前記感度別色画像生成ステップの処理で生成された、同一の色成分を有し、感度特性が異なる複数の前記感度別色画像を合成して広ダイナミックレンジの色画像を生成する合成ステップと
を実行させるプログラム。
【発明の詳細な説明】
【技術分野】
【０００１】
本発明は、画像処理装置および方法、プログラム、並びに記録媒体に関し、例えば、単板式CCDイメージセンサ等を用いて取得した画像信号から、広ダイナミックレンジのカラー画像信号を生成する場合に用いて好適な画像処理装置および方法、プログラム、並びに記録媒体に関する。
【背景技術】
【０００２】
CCD(Charge Coupled Device)やCMOS(Complementary Mental-Oxide Semiconductor)等のような固体撮像素子が、ビデオカメラやディジタルスチルカメラ等の撮像装置、ＦＡ(Factory Automation)の分野における部品検査装置、およびＭＥ(Medical Electronics)の分野における電子内視鏡等の光計測装置に幅広く利用されている。
【０００３】
従来、固体撮像素子を用いた撮像装置および光計測機器のダイナミックレンジを向上させるために、画素毎に異なる感度で計測した光強度信号を合成する方法が知られている。以下、そのような第１乃至第４の従来方法について説明する。
【０００４】
第１の従来方法としては、光学的に複数の透過率の異なる光軸に分岐させた入射光をそれぞれの光軸上に配置させた固体撮像素子で計測する方法を挙げることができる。この方法は、特開平８−２２３４９１号公報等に開示されている。しかしながら、第１の方法では、複数の固体撮像素子および光を分岐させる複雑な光学系が必要となるので、省コスト化や省スペース化の面で不利である問題があった。
【０００５】
第２の従来方法としては、１つの固体撮像素子を用い、その露光時間を複数に分割して複数枚の画像を撮像した後、それらを合成する方法を挙げることができる。この方法は、特開平８−３３１４６１号公報等に開示されている。しかしながら、第２の方法では、異なる感度で計測された情報は異なる時刻に撮像されたものであり、かつ、異なる時間幅で撮像されているので、光強度が時々刻々と変化するような動的なシーンを正しく撮像できないという問題があった。
【０００６】
第３の従来方法としては、１つの固体撮像素子を用い、固体撮像素子の撮像面で互いに隣接する複数の受光素子を１組として、受光素子の１組を出力画像の１画素に対応させるようにし、１組を構成する複数の受光素子の感度をそれぞれ異なるように設定して撮像する方法を挙げることができる。この方法は、米国特許第５７８９７３７号公報等に開示されている。固体撮像素子を構成する受光素子のそれぞれの感度を変化させる方法としては、各受光素子を透過率の異なるフィルタで覆う方法がある。また、特開２０００−６９４９１号公報には、第３の従来方法をカラー画像に適応する技術が開示されている。
【０００７】
第３の従来方法によれば、第１の従来方法において問題であった省コスト化や省スペース化の面で有利となる。また、第２の従来方法において問題であった動的シーンを正しく撮像できないことを解決することができる。しかしながら、第３の従来方法では、隣接する複数の受光素子を１組として出力画像の１画素に対応させるので、出力画素の解像度を確保するためには、出力画像の画素数の数倍の受光素子から成る撮像素子が必要であり、ユニットセルサイズが大きくなる課題があった。
【０００８】
第４の従来方法としては、通常のダイナミックレンジを有する撮像素子に、出力画像の１画素に対応する１つの受光素子毎、その露出が異なるような仕組みを施して撮像し、得られた画像信号に所定の画像処理を施して広ダイナミックレンジの画像信号を生成する方法を挙げることができる。受光素子毎の露出が異なるような仕組みは、受光素子毎に光の透過率や開口率を変えたりすることによって、空間的な感度のパターンをつくることにより実現する。この方法は、文献「S.K.Nayar and T.Mitsunaga,"High Dynamic Range Imaging:Spatially Varying Pixel Exposures",Proc. of Computer Vision and Pattern Recognition 2000,Vol.1,pp.472-479,June,2000」に開示されている。
【０００９】
第４の従来方法では、各受光素子は１種類の感度だけを有する。よって、撮像された画像の各画素は本来の撮像素子が有するダイナミックレンジの情報だけしか取得することができないが、得られた画像信号に所定の画像処理を施し、全ての画素の感度が均一になるようにすることによって、結果的にダイナミックレンジが広い画像を生成することができる。また、全ての受光素子が同時に露光するので、動きのある被写体を正しく撮像することができる。さらに、１つの受光素子が出力画像の１画素に対応しているので、ユニットセルサイズが大きくなる問題も生じない。
【発明の開示】
【発明が解決しようとする課題】
【００１０】
上述したように、第４の従来方法は、第１乃至第３の従来方法の問題を解決することが可能である。しかしながら、第４の従来方法は、ダイナミックレンジが広いモノクロ画像を生成することを前提としたものであり、ダイナミックレンジが広いカラー画像を生成することについては、その技術が確立されていない課題があった。具体的には、画素毎に色や感度が異なる画像を元に、全ての画素が全ての色成分を有し、かつ、感度を均一化する技術は確立されていない課題があった。
【００１１】
したがって、第４の従来技術をカラー画像に適用する場合における色バランスの補正方法についても確立されていない課題があった。
【００１２】
また、第４の従来技術の応用として、撮像する画像の各画素の対応する撮像素子の感度の違いを、撮像素子の読み出しタイミングを変えることで実現する場合において、動きのある被写体を撮像した場合、低感度の画素と高感度の画素とに露出時間が異なることに起因する情報差が発生してしまい、それを局所的に処理すると動きのある被写体のブレ部分にノイズが残ってしまう課題があった。
【００１３】
本発明はこのような状況に鑑みてなされたものであり、画素毎に色や感度が異なる色・感度モザイク画像を元にして、各画素の感度特性が均一化されており、かつ、各画素が色バランスの調整された全ての色成分を有し、かつ、ノイズが抑制された復元画像を生成できるようにするものである。
【課題を解決するための手段】
【００１４】
本発明の一側面である画像処理装置は、色・感度モザイク画像の色成分と感度特性の配列を示す色・感度モザイクパターン情報に基づき、色・感度モザイク画像を元にして、各画素の感度特性が均一であって、かつ、各画素の単一の色成分を有する感度別色画像を生成する感度別色画像生成手段と、感度別色画像生成手段によって生成された、同一の色成分を有し、感度特性が異なる複数の感度別色画像を合成して広ダイナミックレンジの色画像を生成する合成手段とを含むことを特徴とする。
【００１５】
前記感度別色画像生成手段は、色・感度モザイク画像を構成する全ての画素のうち、同一の感度特性を有し、かつ、同一の色成分を有する画素を用いた補間処理によって感度別色画像を生成するようにすることができる。
【００１６】
前記合成手段は、複数の感度別色画像の対応する画素同士を加算して加算画像を生成する加算手段と、加算画像を構成する画素の感度特性を補償する感度特性補償手段とを含むようにすることができる。
【００１７】
本発明の一側面である画像処理方法は、色・感度モザイク画像の色成分と感度特性の配列を示す色・感度モザイクパターン情報に基づき、色・感度モザイク画像を元にして、各画素の感度特性が均一であって、かつ、各画素の単一の色成分を有する感度別色画像を生成する感度別色画像生成ステップと、感度別色画像生成ステップの処理で生成された、同一の色成分を有し、感度特性が異なる複数の感度別色画像を合成して広ダイナミックレンジの色画像を生成する合成ステップとを含むことを特徴とする。
【００１８】
本発明の一側面である記録媒体のプログラムは、色・感度モザイク画像の色成分と感度特性の配列を示す色・感度モザイクパターン情報に基づき、色・感度モザイク画像を元にして、各画素の感度特性が均一であって、かつ、各画素の単一の色成分を有する感度別色画像を生成する感度別色画像生成ステップと、感度別色画像生成ステップの処理で生成された、同一の色成分を有し、感度特性が異なる複数の感度別色画像を合成して広ダイナミックレンジの色画像を生成する合成ステップとを含むことを特徴とする。
【００１９】
本発明の一側面であるプログラムは、色・感度モザイク画像の色成分と感度特性の配列を示す色・感度モザイクパターン情報に基づき、色・感度モザイク画像を元にして、各画素の感度特性が均一であって、かつ、各画素の単一の色成分を有する感度別色画像を生成する感度別色画像生成ステップと、感度別色画像生成ステップの処理で生成された、同一の色成分を有し、感度特性が異なる複数の感度別色画像を合成して広ダイナミックレンジの色画像を生成する合成ステップとをコンピュータに実行させることを特徴とする。
【００２０】
本発明の一側面においては、色・感度モザイク画像の色成分と感度特性の配列を示す色・感度モザイクパターン情報に基づき、色・感度モザイク画像を元にして、各画素の感度特性が均一であって、かつ、各画素の単一の色成分を有する感度別色画像が生成され、生成された同一の色成分を有し、感度特性が異なる複数の感度別色画像を合成して広ダイナミックレンジの色画像が生成される。
【発明の効果】
【００２１】
本発明の一側面によれば、画素毎に色や感度が異なる色・感度モザイク画像を元にして、各画素の感度特性が均一化されており、かつ、各画素が色バランスの調整された全ての色成分を有し、かつ、ノイズが抑制された復元画像を生成することが可能となる。
【発明を実施するための最良の形態】
【００２２】
図１は、本発明の一実施の形態であるディジタルスチルカメラの構成例を示している。当該ディジタルスチルカメラは、大別して光学系、信号処理系、記録系、表示系、および制御系から構成される。
【００２３】
光学系は、被写体の光画像を集光するレンズ１、光画像の光量を調整する絞り２、および、集光された光画像を光電変換して電気信号に変換するCCDイメージセンサ４から構成される。
【００２４】
信号処理系は、CCDイメージセンサ４からの電気信号をサンプリングすることによってノイズを低減させる相関２重サンプリング回路(CDS:Correlated Double Sampling)５、相関２重サンプリング回路５が出力するアナログ信号をディジタル信号に変換するＡ／Ｄコンバータ６、Ａ／Ｄコンバータ６から入力されるディジタル信号に所定の画像処理を施す画像処理部７から構成される。なお、画像処理部７が実行する処理の詳細については後述する。
【００２５】
記録系は、画像処理部７が処理した画像信号を符号化してメモリ９に記録し、また、読み出して復号し、画像処理部７に供給するCODEC(Compression/Decompression)８、および、画像信号を記憶するメモリ９から構成される。
【００２６】
表示系は、画像処理部７が処理した画像信号をアナログ化するＤ／Ａコンバータ１０、アナログ化された画像信号を後段のディスプレイ１２に適合する形式のビデオ信号にエンコードするビデオエンコーダ１１、および、入力されるビデオ信号に対応する画像を表示することによってファインダとして機能するLCD(Liquid Crystal Display)等よりなるディスプレイ１２から構成される。
【００２７】
制御系は、CCDイメージセンサ４乃至画像処理部７の動作タイミングを制御するタイミングジェネレータ（ＴＧ）３、ユーザによるシャッタ操作やその他のコマンドを入力するための操作入力部１３、および、ドライブ１５を制御して磁気ディスク１６、光ディスク１７、光磁気ディスク１８、または半導体メモリ１９に記憶されている制御用プログラムを読み出し、読み出した制御用プログラム、操作入力部１３から入力されるユーザからのコマンド等に基づいてディジタルスチルカメラの全体を制御するCPU(Central Processing Unit)などよりなる制御部１４から構成される。
【００２８】
当該ディジタルスチルカメラにおいて、被写体の光学画像（入射光）は、レンズ１および絞り２を介してCCDイメージセンサ４に入射され、CCDイメージセンサ４によって光電変換されて電気信号となる。得られた電気信号は、相関２重サンプリング回路５によってノイズ成分が除去され、Ａ／Ｄコンバータ６によってディジタル化された後、画像処理部７が内蔵する画像メモリに一時格納される。
【００２９】
なお、通常の状態では、タイミングジェネレータ３による信号処理系に対する制御により、画像処理部７が内蔵する画像メモリには、一定のフレームレートで絶えず画像信号が上書きされるようになされている。画像処理部７が内蔵する画像メモリの画像信号は、Ｄ／Ａコンバータ１０によってアナログ信号に変換され、ビデオエンコーダ１１によってビデオ信号に変換されて対応する画像がディスプレイ１２に表示される。
【００３０】
ディスプレイ１２は、当該ディジタルスチルカメラのファインダの役割も担っている。ユーザが操作入力部１３に含まれるシャッタボタンを押下した場合、制御部１４は、タイミングジェネレータ３に対し、シャッタボタンが押下された直後の画像信号を保持するように、すなわち、画像処理部７の画像メモリに画像信号が上書きされないように信号処理系を制御する。画像処理部７の画像メモリに保持された画像データは、CODEC８によって符号化されてメモリ９に記録される。以上のようなディジタルスチルカメラの動作によって、１枚の画像データの取り込みが完了する。
【００３１】
次に、当該ディジタルスチルカメラの動作の概要について、図２を参照して説明する。当該ディジタルスチルカメラは、CCDイメージセンサ４を中心とする光学系の撮像処理によって、被写体を画素毎に異なる色と感度で撮像し、色と感度がモザイク状になった画像（以下、色・感度モザイク画像と記述し、その詳細は後述する）を得る。その後、画像処理部７を中心とする信号処理系により、撮像処理によって得られた色・感度モザイク画像を元に、各画素が全ての色成分を有し、かつ、均一の感度を有する広ダイナミックレンジ画像を生成される。以下、色・感度モザイク画像を元にして、各画素が全ての色成分を有し、かつ、均一の感度を有する広ダイナミックレンジ画像を生成する信号処理系の処理を、デモザイク処理とも記述する。
【００３２】
例えば、当該ディジタルスチルカメラによって図３に示すような被写体を撮影した場合、撮像処理により、図４に示すような色・感度モザイク画像が得られ、画像処理により、各画素が全ての色成分と均一の感度を有する広ダイナミックレンジ画像に変換される。すなわち、図４に示す色・感度モザイク画像を元にして図３に示す被写体の本来の色を広ダイナミックレンジで復元する。
【００３３】
次に、光学系の撮像処理によって得る色・感度モザイク画像の、画素の色成分および感度の配列パターン（以下、色・感度モザイクパターンと記述する）Ｐ１乃至Ｐ１４を図５乃至図１８に示す。
【００３４】
色・感度モザイクパターンを構成する色の組み合わせとしては、Ｒ（赤）、Ｇ（緑）、およびＢ（青）からなる３色の組合せの他、Ｙ（黄）、Ｍ（マゼンタ）、Ｃ（シアン）、およびＧ（緑）からなる４色の組合せ等が考えられる。感度の段階としては、Ｓ０およびＳ１から成る２段階の他、感度Ｓ２を追加した３段階、さらに、感度Ｓ３を追加した４段階等とすることができる。なお、色の種類や組み合わせおよび感度の段階は任意であり、上述した例に限定されるものではない。
【００３５】
図５乃至図１８においては、１マス目が１画素に対応しており、英文字がその色を示し、英文字の添え字として数字がその感度を示している。例えば、Ｇ0と表示された画素は、色がＧ（緑）であって、感度がＳ０であることを示している。また、感度については、数字が大きいほどより高感度である、すなわち、Ｓ０よりもＳ１の方が高感度である。
【００３６】
色・感度モザイクパターンＰ１乃至Ｐ１４は、以下に示す第１乃至第４の特徴によって分類することができる。
【００３７】
第１の特徴は、同一の色および感度を有する画素に注目した場合、それらが格子状に配列されており、かつ、感度に拘わらず同一の色を有する画素に注目した場合、それらが格子状に配列されていることである。第１の特徴について、図５に示す色・感度モザイクパターンＰ１を参照して説明する。
【００３８】
図５の色・感度モザイクパターンＰ１において、感度に拘わらず色がＲである画素に注目した場合、図面を右回りに４５度だけ回転させた状態で見れば明らかなように、それらは、水平方向には２1/2の間隔で、垂直方向には２3/2の間隔で格子状の配置されている。また、感度に拘わらず色がＢである画素に注目した場合、それらも同様に配置されている。感度に拘わらず色がＧである画素に注目した場合、それらは、水平方向および垂直方向に２1/2の間隔で格子状の配置されている。
【００３９】
なお、第１の特徴は、図５に示す色・感度モザイクパターンＰ１の他、色・感度モザイクパターンＰ２，Ｐ４，Ｐ６，Ｐ８，Ｐ９，Ｐ１０，Ｐ１１，Ｐ１３にも共通である。
【００４０】
第２の特徴は、同一の色および感度を有する画素に注目した場合、それらが格子状に配列されており、かつ、色に拘わらず同一の感度を有する画素に注目した場合、それらが格子状に配列されており、かつ、任意の画素に注目した場合、その画素とその上下左右に位置する４画素の合計５画素が有する色の中に、当該色・感度モザイクパターンに含まれる全ての色が含まれることである。
【００４１】
なお、第２の特徴は、図７に示す色・感度モザイクパターンＰ３の他、色・感度モザイクパターンＰ５，Ｐ７，Ｐ８，Ｐ９，Ｐ１２，Ｐ１４にも共通である。
【００４２】
第３の特徴は、第１の特徴を有しており、さらに、３種類の色が用いられていて、それらがベイヤ(Bayer)配列をなしていることである。第３の特徴について、図６に示す色・感度モザイクパターンＰ２を参照して説明する。
【００４３】
図６の色・感度モザイクパターンＰ２において、感度に拘わらず色がＧである画素に注目した場合、それらは１画素だけ間隔を空けて市松状に配置されている。感度に拘わらず色がＲである画素に注目した場合、それらは１ラインだけ間隔を空けて配置されている。また、感度に拘わらず色がＢである画素に注目した場合も同様に、１ラインだけ間隔を空けて配置されている。したがって、このパターンＰ２は、画素の色だけに注目すれば、ベイヤ配列をなしている。
【００４４】
なお、第３の特徴は、図６の色・感度モザイクパターンＰ２の他、色・感度モザイクパターンＰ１０，Ｐ１１にも共通である。
【００４５】
第４の特徴は、第２の特徴を有しており、さらに、同一の感度を有する画素に注目した場合、それらの配列がベイヤ配列をなしていることである。第４の特徴について、図７に示す色・感度モザイクパターンＰ３を参照して説明する。
【００４６】
図７の色・感度モザイクパターンＰ３において、感度Ｓ０の画素だけに注目した場合、図面を斜め４５度だけ回転させて見れば明らかなように、それらは２1/2の間隔を空けてベイヤ配列をなしている。また、感度Ｓ１の画素だけに注目した場合も同様に、それらはベイヤ配列をなしている。
【００４７】
なお、第４の特徴は、図７の色・感度モザイクパターンＰ３の他、色・感度モザイクパターンＰ５，Ｐ１２にも共通である。
【００４８】
ところで、以下、図５乃至図１８に示した色・感度モザイクパターンＰ１乃至Ｐ１４に関連し、画素の感度に拘わらず色の配列だけに注目して「色のモザイク配列」と記述する。また、色に拘わらず感度の配列だけに注目して「感度のモザイク配列」と記述する。
【００４９】
次に、CCDイメージセンサ４において上述した色・感度モザイクパターンを実現する方法について説明する。
【００５０】
色・感度モザイクパターンのうち、色のモザイク配列については、CCDイメージセンサ４の受光素子の上面に、画素毎に異なる色の光だけを透過させるオンチップカラーフィルタ２２（図１９）を配置することによって実現する。
【００５１】
また、色・感度モザイクパターンのうち、感度のモザイク配列については、光学的な方法、または電子的な方法によって実現する。
【００５２】
感度のモザイク配列を光学的に実現する方法について説明する。図１９は、CCDイメージセンサ４の受光素子の断面を示している。受光素子の上部表面には、オンチップレンズ２１が配置されている。オンチップレンズ２１は、図面上方から入射される光がフォトダイオード（ＰＤ）２３に集光されるようになされている。オンチップカラーフィルタ２２は、入射光の色を制限する（特定の波長帯域だけを透過させる）。受光素子の下部には、ウェハ中にフォトダイオード２３が形成されている。フォトダイオード２３は、入力された光量に対応して電荷を生じる。フォトダイオード２１の両脇には、垂直レジスタ２６が形成されている。垂直レジスタ２６の上部には、垂直レジスタ２１を駆動する垂直レジスタ駆動電極２５が配線されている。
【００５３】
垂直レジスタ２６は、フォトダイオード２３で生じた電荷を転送する領域である。垂直レジスタ２６と垂直レジスタ駆動電極２５は、そこで電荷が生じないように、シールド２４によって遮光されている。シールド２４は、フォトダイオード２３の上部だけが開口しており、その開口部分を入射光が通過してフォトダイオード２３に到達するようになされている。
【００５４】
以上説明したように構成されるCCDイメージセンサ４は、下記の方法によって各受光素子の感度を変えることができる（フォトダイオード２３に対する入射光量を変化させることができる）。
【００５５】
例えば、図２０に示すように、隣接する受光素子の一方にはオンチップレンズ２１を設け、他方にはオンチップレンズ２１を設けないことにより、隣接する受光素子でそれぞれ集光される光量を変化させることができる。また、例えば図２１に示すように、オンチップカラーフィルタ２２の上方（または下方）にオンチップニュートラルデンシティ（ＮＤ）フィルタ３１を設置することにより、光の透過率を変えることができる。また、例えば図２２に示すように、隣接する受光素子のシールド２４の開口部分の面積を、一方を広く、他方を狭くすることにより、フォトダイオード２３に対する入射光量を変化させることができる。
【００５６】
次に、感度のモザイク配列を電子的に実現する２種類の方法について説明する。
【００５７】
第１の方法は、例えば、隣接する２つの受光素子（第1および第2の受光素子）に対し、制御のタイミングを違えることによって２つの受光素子を異なる感度に設定する方法である。第１の方法について、図２３を参照して説明する。
【００５８】
図２３Ａは、CCDイメージセンサ４の露光期間を示している。図２３Ｂは、電荷掃き出しを指令するパルス電圧のタイミングを示している。図２３Ｃは、電荷転送を指令する制御電圧が与えられるタイミングを示している。図２３Ｄは、第１の受光素子に対し、電荷読み出しを指令するパルス電圧のタイミングを示している。図２３Ｅは、電荷掃き出しパルス電圧および電荷読み出しパルス電圧が与えられることに対応して第１の受光素子に蓄積される電荷量の変化を示している。図２３Ｆは、第２の受光素子に対し、電荷読み出しを指令するパルス電圧のタイミングを示している。図２３Ｇは、電荷掃き出しパルス電圧および電荷読み出しパルス電圧が与えられることに対応して第２の受光素子に蓄積される電荷量の変化を示している。
【００５９】
感度のモザイク配列を電子的に実現する第１の方法において、電荷掃き出しパルス電圧は、第１および第２の受光素子に対し共通して、露光期間以外においては、フォトダイオード２３から電荷を掃き出しさせる（リセットさせる）ように供給され、露光期間中においては、所定のタイミングで１回だけ電荷をリセットするために供給される。
【００６０】
電荷転送電圧は、露光期間以外においては、第１および第２の受光素子に対し共通して垂直レジスタ２６に電荷を転送させるための波形電圧が供給され、露光期間中においては、垂直レジスタ２６からの電荷の転送が停止されるように電荷転送電圧は供給されない。
【００６１】
電荷読み出しパルス電圧は、各受光素子に対して異なるタイミングで供給される。第１の受光素子に対しては、露光期間中の電荷掃き出しパルス電圧の供給タイミング（図２３Ｂ）の直前に、１回目の電荷読み出しパルス電圧が供給され、露光期間中の終了の直前に２回目の電荷読み出しパルス電圧が供給される。
【００６２】
その結果、第１の受光素子からは、１回目および２回目の電荷読み出しパルス電圧の供給タイミングのそれぞれにおける第１の受光素子の蓄積電荷量が垂直レジスタ２６に読み出される。なお、露光期間中は垂直レジスタ２６の電荷の転送は停止されているので、それら２回の読み出し電荷量が垂直レジスタ２６の中で加算され、露光期間終了後に同じフレームのデータとして垂直レジスタ２６から転送されるようになされている。
【００６３】
一方、第２の受光素子に対しては、露光期間中の電荷掃き出しパルス電圧の供給タイミングの直前に１回だけ電荷読み出しパルス電圧が供給される。その結果、第２の受光素子からは、１回だけの電荷読み出しパルス電圧の供給タイミングにおける第２の受光素子の蓄積電荷量が垂直レジスタ２６に読み出される。なお、露光期間中は垂直レジスタ２３の電荷の転送は停止されているので、第２の受光素子から読み出された蓄積電荷は、露光期間終了後に、第１の受光素子から読み出された蓄積電荷と同じフレームのデータとして垂直レジスタ２６から転送されるようになされている。
【００６４】
以上のように、第１の受光素子に対する制御タイミングと、第２の受光素子とに対する制御タイミングとが異なるようすることにより、同じ露光期間中に第１の受光素子殻読み出される蓄積電荷量と、第２の受光素子から読み出される蓄積電荷量、すなわち感度が異なるように設定することができる。
【００６５】
しかしながら、感度のモザイク配列を電子的に実現する第１の方法では、受光素子によっては露光期間中の全域にわたる被写体の情報を計測できないことが短所である。
【００６６】
次に、感度のモザイク配列を電子的に実現する第２の方法について、図２４を参照して説明する。図２４Ａ乃至図２４Ｇはそれぞれ、図２３Ａ乃至図２３Ｇと同様に、CCDイメージセンサ４の露光期間、電荷掃き出しを指令するパルス電圧のタイミング、電荷転送を指令する制御電圧が与えられるタイミング、第１の受光素子に対して電荷読み出しを指令するパルス電圧のタイミング、電荷掃き出しパルス電圧および電荷読み出しパルス電圧が与えられることに対応して第１の受光素子に蓄積される電荷量の変化、第２の受光素子に対する電荷読み出しを指令するパルス電圧のタイミング、電荷掃き出しパルス電圧および電荷読み出しパルス電圧が与えられることに対応して第２の受光素子に蓄積される電荷量の変化を示している。
【００６７】
感度のモザイク配列を電子的に実現する第２の方法においては、露光期間中において、電荷掃き出しパルス電圧および電荷読み出しパルス電圧が複数回繰り返して供給される。
【００６８】
すなわち、電荷掃き出しパルス電圧については、第１および第２の受光素子の双方に対し、露光期間中において、１回目の電荷掃き出しパルス電圧と２回目の電荷掃き出しパルス電圧の組が複数回供給される。電荷読み出しパルス電圧については、第１の受光素子に対しては、１回目および２回目の電荷掃き出しパルス電圧の組毎に、１回目の電荷掃き出しパルス電圧の直前に１回目の電荷読み出しパルス電圧が供給され、２回目の電荷掃き出しパルス電圧の直前に２回目の電荷読み出しパルス電圧が供給される。一方、第２の受光素子に対しては、電荷掃き出しパルス電圧の組毎に、１回目の電荷掃き出しパルス電圧の直前に１回だけ電荷読み出しパルス電圧が供給される。
【００６９】
その結果、第１の受光素子からは、１回目および２回目の電荷掃き出しパルス電圧の組毎に、１回目の電荷読み出しパルス電圧の供給タイミングにおける第１の受光素子の蓄積電荷量と、２回目の電荷読み出しパルス電圧の供給タイミングにおける第１の受光素子の蓄積電荷量が読み出される。なお、露光期間中は、垂直レジスタ２６の電荷の転送が停止されているので、これら組毎に２回ずつ読み出された電荷量は、垂直レジスタ２６で加算される。第２の受光素子からは、１回目および２回目の電荷掃き出しパルス電圧の組毎に１回だけ供給される電荷読み出しパルス電圧の供給タイミングにおける第２の受光素子の蓄積電荷量が読み出される。これら組ごとに１回ずつ読み出された電荷量は、垂直レジスタ２６の中で加算される。
【００７０】
以上のように、感度のモザイク配列を電子的に実現する第２の方法では、露光期間において電荷の読み出しを複数に亘って繰り返すことになるので、露光期間中の全域にわたる被写体の情報を計測することが可能となる。すなわち、第２の方法は、上述した第１の方法の短所を解決することが可能である。
【００７１】
なお、上述した感度のモザイク配列を電子的に実現する第１および第２の方法に関連し、一般的に、CCDイメージセンサ４の読み出し制御は、水平ライン毎に配線される垂直レジスタ駆動電極２５に印加される。例えば、図５に示した色・感度モザイクパターンＰ１のように、水平ライン毎に感度が変わるような感度のモザイク配列を実現するためには、その電極構造を利用すればよいので、ラインごとに異なる読み出しパルス電圧が印加されるように若干の改良をおこなえばよい。さらに、３相駆動の垂直レジスタを持つプログレッシブスキャンのCCDイメージセンサにおいては、その電極構造を工夫することによって、２段階感度による任意のモザイク配列を電子的に実現できる。
【００７２】
図２５は、２段階の感度のモザイク配列を実現するために用いる電極配線による垂直転送用ポリシリコン電極の第１の電極構造を示している。図２６は、図２５の図中の線分ａａ'におけるCCDイメージセンサの断面図を示している。第１相垂直レジスタ駆動電極４２および第２相垂直レジスタ駆動電極４３は、同じ水平ライン上で隣接する画素の電極と連結しているので、同一水平ライン上の電極は同期して駆動される。一方、第３相垂直レジスタ駆動電極４４は、同じ垂直ライン上で隣接する画素の電極と連結しているので、同一垂直ライン上の電極は同期して駆動される。また、第２相垂直レジスタ駆動電極４３および第３相垂直レジスタ駆動電極４４は、対応するフォトダイオ−ド２３に隣接する読み出しゲ−ト４１上にもかかるようになされている。
【００７３】
したがって、第２相垂直レジスタ駆動電極４３、または第３相垂直レジスタ駆動電極４４に読み出しパルスを印加した場合、読み出しゲ−ト４１のバリアを一時的に取り除き、対応するフォトダイオ−ド２３に蓄積されている電荷を垂直レジスタ２６に転送することが可能である。以下、図２５および図２６に示した電極構造をＯＲ型の電極構造と記述する。
【００７４】
図２７は、２段階の感度を有する感度のモザイク配列を実現するために用いる電極配線による垂直転送用ポリシリコン電極の第２の電極構造を示している。図２７の図中の線分ａａ'におけるCCDイメージセンサの断面も、図２６に示した断面図と同様である。すなわち、第２の電極構造においても、第１の電極構造と同様に、第１相垂直レジスタ駆動電極４２および第２相垂直レジスタ駆動電極４３は、同じ水平ライン上で隣接する画素の電極と連結しているので、同一水平ライン上の電極は同期して駆動される。第３相垂直レジスタ駆動電極４４は、第１の電極構造と同様に、同じ垂直ライン上で隣接する画素の電極と連結しているので、同一垂直ライン上の電極は同期して駆動される。
【００７５】
しかしながら、第３相垂直レジスタ駆動電極４４が対応するフォトダイオ−ド２３に隣接する読み出しゲート４１上において、当該フォトダイオ−ド２３の辺縁部分に沿って配置され、次いでそれに隣接するように第２相垂直レジスタ駆動電極４３の細長く加工された部分が読み出しゲート４１にかかるようになされている点が第１の電極構造と異なる。
【００７６】
したがって、第２相垂直レジスタ駆動電極４３および第３相垂直レジスタ駆動電極４４のうち、一方だけに読み出しパルスを印加した場合、読み出しゲ−ト４１のバリアを取り除くことができない。読み出しゲ−ト４１のバリアを取り除き、フォトダイオ−ド２３に蓄積されている電荷を垂直レジスタ２６に転送するためには、第２相垂直レジスタ駆動電極４３と第３相垂直レジスタ駆動電極４４に同時に読み出しパルスを印加する必要がある。以下、図２７に示した電極構造をAND型の電極構造と記述する。
【００７７】
以上説明したＯＲ型の電極構造とAND型の電極構造を１つのCCDイメージセンサ内で組み合わせて用いることにより、２段階感度による任意のモザイク配列を実現することができる。例えば、図５に示した色・感度モザイクパターンＰ１のうち、感度のモザイク配列を実現するためには、図２８に示すようにＯＲ型の電極構造とAND型の電極構造を組み合わせればよい。
【００７８】
図５と図２８を比較すれば明らかなように、２段階の感度Ｓ０，Ｓ１のうち、低感度Ｓ０の画素にはAND型の電極構造を採用し、高感度Ｓ１の画素にはＯＲ型の電極構造を採用するようにする。このように、ＯＲ型とAND型の電極構造を組み合わせて構成したCCDイメージセンサ４に対し、その第２相垂直レジスタ駆動電極４３に読み出しパルス電圧を印加すれば、ＯＲ型の画素だけで電荷読み出しがおこなわれ、第２相垂直レジスタ駆動電極４３および第３相垂直レジスタ駆動電極４４に同時に読みだしパルス電圧を印加すれば、ＯＲ型とAND型の両方、すなわち全ての画素で電荷読み出しがおこなわれることになる。
【００７９】
なお、第２相垂直レジスタ駆動電極４３、および第３相垂直レジスタ駆動電極４４に対するパルス電圧の供給タイミングは、図２４（図２３でもよい）に示した制御タイミングのうち、同図Ｄの１回目の電荷読み出しパルス電圧の供給タイミングと、同図Ｆの電荷読み出しパルス電圧の供給タイミングにおいて、第２相垂直レジスタ駆動電極４３および第３相垂直レジスタ駆動電極４４の両方を駆動し、同図Ｄの２回目の電荷読み出しパルス電圧の供給タイミングにおいて第２相垂直レジスタ駆動電極４３だけを駆動するようにすれば、ＯＲ型の電極構造の画素は高感度Ｓ１となり、AND型の電極構造の画素は低感度Ｓ０となる。
【００８０】
同様に、２段階の感度を有するその他の感度のモザイク配列も、ＯＲ型の電極構造とAND型の電極構造を組み合わせることによって実現することができる。
【００８１】
例えば、図６に示した色・感度モザイクパターンＰ２のうち、感度のモザイクパターンを実現するためには、ＯＲ型とAND型を図２９に示すように組み合わせればよい。図７に示した色・感度モザイクパターンＰ３のうち、感度のモザイクパターンを実現するためには、ＯＲ型とAND型を図３０に示すように組み合わせればよい。図８に示した色・感度モザイクパターンＰ４のうち、感度のモザイクパターンを実現するためには、ＯＲ型とAND型を図３１に示すように組み合わせればよい。図９に示した色・感度モザイクパターンＰ５のうち、感度のモザイクパターンを実現するためには、ＯＲ型とAND型を図３２に示すように組み合わせればよい。
【００８２】
次に、図３３は、入力される色・感度モザイク画像を元にして、各画素が全ての色成分を有し、かつ、感度が均一である広ダイナミックレンジ画像を生成するデモザイク処理を実行する画像処理部７の構成例を示している。
【００８３】
なお、図３３においては、色・感度モザイクパターンＰ１の色・感度モザイク画像が入力されるように図示されているが、入力する色・感度モザイク画像の色・感度モザイクパターンは任意である。
【００８４】
また、画像処理部７を構成する各部には、入力される色・感度モザイク画像の色・感度モザイクパターンを示す情報が供給されているものとする。
【００８５】
また、図３３においては、出力結果としての各画素が全ての色成分を有し、かつ、感度が均一である広ダイナミックレンジ画像を、各画素の感度が均一である広ダイナミックレンジの３種類の色画像として示している。
【００８６】
色バランス補正部６１は、入力される色・モザイク画像の色バランスを補正して、補正済みの色・モザイク画像を感度別色画像生成部６２に出力する。ここで、色バランスを補正する処理とは、一般にホワイトバランス処理と呼ばれている処理であり、各色の平均を算出して用いてもよいし、既存の統計情報を用いてもよい。
【００８７】
図３４は、色バランス補正部６１の第１の構成例を示している。色バランス算出部７１は、入力される色・感度モザイク画像の全体から１つの色バランス情報を算出する。その方法は、各色の平均を算出して用いてもよいし、既存の統計情報を用いてもよい。色バランス調整部７２は、色バランス算出部７１によって算出される色バランス情報に基づき、入力される色・感度モザイク画像の色バランスを補正する。色バランス補正済みの色・感度モザイク画像は、感度別色画像生成部６２に供給される。
【００８８】
図３５は、色バランス補正部６１の第２の構成例を示している。感度別色バランス算出部８１は、入力される色・感度モザイク画像の感度毎の色バランス情報を算出する。その方法は、各感度について、各色の平均を算出して用いてもよいし、既存の統計情報を用いてもよい。図３５の場合、感度Ｓ０の色バランス情報と、感度Ｓ１の色バランス情報が算出される。
【００８９】
感度別色バランス情報合成部８２は、感度別色バランス算出部８１によって算出される感度別の色バランス情報を合成して１つの色バランス情報を生成する。色バランス調整部８３は、感度別色バランス情報合成部８２によって生成される色バランス情報に基づき、入力される色・感度モザイク画像の色バランスを補正する。色バランス補正済みの色・感度モザイク画像は、感度別色画像生成部６２に供給される。
【００９０】
図３３に戻る。感度別色画像生成部６２は、入力される色バランス補正済みの色・感度モザイク画像のうち、同一の感度および色成分を有する画素を用いた補間によって感度別色画像を生成する。いまの場合、例えば、色バランス補正済みの色・感度モザイク画像のうちの感度Ｓ０でＲ成分の画素だけに注目して、補間により、感度Ｓ０でＲ成分の画素だけで構成される感度別色画像Ｒ０を生成する。同様に、感度Ｓ１でＲ成分の画素だけで構成される感度別色画像Ｒ１、感度Ｓ０でＧ成分の画素だけで構成される感度別色画像Ｇ０、感度Ｓ１でＧ成分の画素だけで構成される感度別色画像Ｇ１、感度Ｓ０でＢ成分の画素だけで構成される感度別色画像Ｂ０、および、感度Ｓ１でＢ成分の画素だけで構成される感度別色画像Ｂ１を生成する。なお、補間以外の方法によって、感度別色画像を生成するようにしてもよい。
【００９１】
画像合成部６３Ｒは、感度別色画像生成部６２によって生成される感度別色画像Ｒ０，Ｒ１の対応する画素対を合成して広ダイナミックレンジの色画像Ｒを生成する。
【００９２】
図３６は、画像合成部６３Ｒの構成例を示している。加算部９１は、感度別色画像生成部６２によって生成される感度別色画像Ｒ０，Ｒ１の同一座標の画素対を加算することによって加算画像を生成し、合成感度補償部９２に出力する。合成感度補償部９２は、合成感度補償関数を導出し、加算画像の画素（Ｒ0＋Ｒ1）に対して、導出する合成感度補償関数を用いて感度補償を施して広ダイナミックレンジの色画像Ｒを生成する。
【００９３】
ここで、合成感度補償部推定部９２が導出する合成感度補償関数について、図３７乃至図３９を参照して説明する。図３７において、横軸は入射光の強度、縦軸は画素値を示しており、線ａ，ｂは、それぞれ、感度Ｓ０，Ｓ１の画素の感度特性を示している。同図において、高い方の感度Ｓ１（線ｂ）は、低い方の感度Ｓ０（線ａ）に対して４倍の感度を有している。
【００９４】
合成感度補償部９２の前段である加算部９１においては、図３７の特性曲線ａに示すような感度特性で取得された画素Ｒ0と、同図の特性曲線ｂに示すような感度特性で取得された感度Ｓ１の画素Ｒ1が加算されている。従って、それらの加算値Ｒ0＋Ｒ1は、特性曲線ａと特性曲線ｂを合成した、図３８の特性曲線ｃが示す感度特性を有することになる。
【００９５】
したがって、加算画像の画素（Ｒ0＋Ｒ1）は、広ダイナミックレンジではあるが、その感度特性は、図３８の特性曲線ｃのように非線形（折れ線）となっている。そこで、非線形である加算画像の画素（Ｒ0＋Ｒ1）の感度特性が線形となるように補償するために、加算画像の画素（Ｒ0＋Ｒ1）に、特性曲線ｃの逆特性曲線ｄ（図３９）を合成感度補償関数として導出する。
【００９６】
なお、合成感度補償部９２が処理毎に合成感度補償関数を導出するのではなく、合成感度補償関数を合成感度補償部９２に予め供給するようにしてもよい。また、合成感度補償関数の代わりに、ルックアップテーブルを用いるようにしてもよい。
【００９７】
図３３に戻る。画像合成部６３Ｇは、感度別色画像生成部６２によって生成される感度別色画像Ｇ０，Ｇ１の対応する画素対を合成して広ダイナミックレンジの色画像Ｇを生成する。画像合成部６３Ｂは、感度別色画像生成部６２によって生成される感度別色画像Ｂ０，Ｂ１の対応する画素対を合成して広ダイナミックレンジの色画像Ｂを生成する。なお、画像合成部６３Ｇ，６３Ｒの構成例は、図３６に示した画像合成部６３Ｒの構成例と同様であるので、その説明は省略する。
【００９８】
次に、画像処理部７によるデモザイク処理について、図４０のフローチャートを参照して説明する。
【００９９】
なお、既に画像処理部７には、色・感度モザイク画像と、色・感度モザイク画像の色・感度モザイクパターンを示す情報が供給されているものとする。
【０１００】
ステップＳ１において、色バランス補正部６１は、供給された色・モザイク画像の色バランスを補正する。具体的には、図４１または図４２のフローチャートに示す動作により、供給された色・モザイク画像の色バランスを補正する。その後、色バランス補正部６１は、色バランス補正済みの色・感度モザイク画像を、感度別色画像生成部６２に供給する。
【０１０１】
図４１のフローチャートは、色バランス補正部６１の第１の構成例に対応する動作を示している。ステップＳ１１において、色バランス算出部７１は、入力された色・感度モザイク画像の全体から１つの色バランス情報を算出する。ステップＳ１２において、色バランス調整部７２は、色バランス算出部７１によって算出された色バランス情報に基づき、入力された色・感度モザイク画像の色バランスを調整する。
【０１０２】
図４２のフローチャートは、色バランス補正部６１の第２の構成例に対応する動作を示している。ステップＳ２１において、感度別色バランス算出部８１は、入力された色・感度モザイク画像のうち、感度Ｓ０の画素に基づいて感度Ｓ０の色バランス情報を生成し、感度Ｓ１の画素に基づいて感度Ｓ１の色バランス情報を生成する。ステップＳ２２において、感度別色バランス情報合成部８２は、感度別色バランス算出部８１によって算出された、感度Ｓ０の色バランス情報、および感度Ｓ１の色バランス情報を合成して１つの色バランス情報を生成する。ステップＳ２３において、色バランス調整部８３は、感度別色バランス情報合成部８２によって生成された色バランス情報に基づき、入力された色・感度モザイク画像の色バランスを補正する。
【０１０３】
図４０に戻る。ステップＳ２において、感度別色画像生成部６２は、色バランス補正部６１から供給された色バランス補正済みの色・感度モザイク画像に基づいて感度別色画像を生成する。
【０１０４】
ステップＳ３において、画像合成部６３Ｒは、感度別色画像生成部６２によって生成された感度別色画像Ｒ０，Ｒ１の対応する画素対を合成して広ダイナミックレンジの色画像Ｒを生成する。画像合成部６３Ｇは、感度別色画像生成部６２によって生成された感度別色画像Ｇ０，Ｇ１の対応する画素対を合成して広ダイナミックレンジの色画像Ｇを生成する。画像合成部６３Ｂは、感度別色画像生成部６２によって生成された感度別色画像Ｂ０，Ｂ１の対応する画素対を合成して広ダイナミックレンジの色画像Ｂを生成する。
【０１０５】
ステップＳ３の画像合成部６３Ｒによる、広ダイナミックレンジの色画像Ｒを生成する処理について、図４３を参照して説明する。ステップＳ３１において、加算部９１は、感度別色画像生成部６２によって生成された感度別色画像Ｒ０，Ｒ１の同一座標の画素対を加算して加算画像を生成し、合成感度補償部９２に出力する。ステップＳ３２において、合成感度補償部９２は、合成感度補償関数を導出する。なお、加算部９１によるステップＳ３１の処理と、合成感度補償部９２によるステップＳ３２の処理は、平行して同時に実行するようにしてもよい。
【０１０６】
ステップＳ３３において、合成感度補償部９２は、加算画像の画素（Ｒ0＋Ｒ1）に対し、導出した合成感度補償関数を用いて感度補償を施すことによって、広ダイナミックレンジの色画像Ｒを生成する。
【０１０７】
なお、画像合成部６３Ｇ，６３Ｂのそれぞれによる、広ダイナミックレンジの色画像Ｇ，Ｂを生成する処理も同様である。
【０１０８】
図４０に戻る。以上、画像処理部７によるデモザイク処理の説明を終了する。
【０１０９】
以上のように、画像処理部７によれば、色・感度モザイク画像を元にして、全ての画素に対し、全色を均一な感度で復元することが可能となる。これにより、広ダイナミックレンジ画像を生成することが可能となる。
【０１１０】
また、特に、感度別色画像を生成した後に色別画像を生成することにより、撮像素子が露出時間を変更することで感度を変える方式の場合に発生する動きのある被写体のブレ部分のノイズを緩和することができ、動被写体のブレ部分の再現性を向上させることが可能となる。
【０１１１】
さらに、色・感度モザイク画像の全ての画素に対して、１つの色バランス情報を用いて補正を行うことにより、適正な色バランス補正を施すことが可能となる。
【０１１２】
なお、上述したように、画像処理部７によるデモザイク処理は任意の色・感度モザイクパターンを有する色・感度モザイク画像に対して施すことが可能であるが、特に、色・感度モザイクパターンＰ１の色・感度モザイク画像を処理対象とする場合において上述した効果を奏することができる。
【０１１３】
また、本発明は、本実施の形態のようなディジタルスチルカメラの他、画像処理を実施するあらゆる機器に適用することが可能である。
【０１１４】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１１５】
この記録媒体は、図１に示すように、コンピュータとは別に、ユーザにプログラムを提供するために配布される、プログラムが記録されている磁気ディスク１６（フロッピディスクを含む）、光ディスク１７（CD-ROM(Compact Disc-Read Only Memory)、DVD(Digital Versatile Disc)を含む）、光磁気ディスク１８（ＭＤ(Mini Disc)を含む）、もしくは半導体メモリ１９などよりなるパッケージメディアにより構成されるだけでなく、コンピュータに予め組み込まれた状態でユーザに提供される、プログラムが記録されているROMやハードディスクなどで構成される。
【０１１６】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【０１１７】
本発明の実施の形態は、上述した実施の形態に限定されるものではなく、本発明の要旨を逸脱しない範囲において種々の変更が可能である。
【図面の簡単な説明】
【０１１８】
【図１】本発明を適用したディジタルスチルカメラの構成例を示すブロック図である。
【図２】ディジタルスチルカメラの動作の概要を説明する図である。
【図３】被写体の一例を示す図である。
【図４】図３に対応する色・感度モザイク画像の一例を示す図である。
【図５】色・感度モザイクパターンＰ１を示す図である。
【図６】色・感度モザイクパターンＰ２を示す図である。
【図７】色・感度モザイクパターンＰ３を示す図である。
【図８】色・感度モザイクパターンＰ４を示す図である。
【図９】色・感度モザイクパターンＰ５を示す図である。
【図１０】色・感度モザイクパターンＰ６を示す図である。
【図１１】色・感度モザイクパターンＰ７を示す図である。
【図１２】色・感度モザイクパターンＰ８を示す図である。
【図１３】色・感度モザイクパターンＰ９を示す図である。
【図１４】色・感度モザイクパターンＰ１０を示す図である。
【図１５】色・感度モザイクパターンＰ１１を示す図である。
【図１６】色・感度モザイクパターンＰ１２を示す図である。
【図１７】色・感度モザイクパターンＰ１３を示す図である。
【図１８】色・感度モザイクパターンＰ１４を示す図である。
【図１９】CCDイメージセンサ４の受光素子の断面を示す図である。
【図２０】感度のモザイク配列をオンチップレンズ２１の有無に実現する方法を説明するための図である。
【図２１】感度のモザイク配列をオンチップＮＤフィルタ３１の有無によって実現する方法を説明するための図である。
【図２２】感度のモザイク配列をシールド２４の開口部分の面積の広狭によって実現する方法を説明するための図である。
【図２３】感度のモザイク配列を電子的に実現する第１の方法を説明するための図である。
【図２４】感度のモザイク配列を電子的に実現する第２の方法を説明するための図である。
【図２５】ＯＲ型の電極構造を示す図である。
【図２６】ＯＲ型の電極構造の断面を示す図である。
【図２７】AND型の電極構造を示す図である。
【図２８】色・感度モザイクパターンＰ１を実現するためのＯＲ型の電極構造とAND型の電極構造の組み合わせを示す図である。
【図２９】色・感度モザイクパターンＰ２を実現するためのＯＲ型の電極構造とAND型の電極構造の組み合わせを示す図である。
【図３０】色・感度モザイクパターンＰ３を実現するためのＯＲ型の電極構造とAND型の電極構造の組み合わせを示す図である。
【図３１】色・感度モザイクパターンＰ４を実現するためのＯＲ型の電極構造とAND型の電極構造の組み合わせを示す図である。
【図３２】色・感度モザイクパターンＰ５を実現するためのＯＲ型の電極構造とAND型の電極構造の組み合わせを示す図である。
【図３３】画像処理部７の構成例を示すブロック図である。
【図３４】図３３の色バランス補正部６１の第１の構成例を示すブロック図である。
【図３５】図３３の色バランス補正部６１の第２の構成例を示すブロック図である。
【図３６】図３３の画像合成部６３Ｒの構成例を示すブロック図である。
【図３７】合成感度補償部９２によって導出される合成感度補償関数について説明するための図である。
【図３８】合成感度補償部９２によって導出される合成感度補償関数について説明するための図である。
【図３９】合成感度補償部９２によって導出される合成感度補償関数を示す図である。
【図４０】画像処理部７によるデモザイク処理を説明するフローチャートである。
【図４１】図３４に示した色バランス補正部６１の第１の構成例による動作を説明するフローチャートである。
【図４２】図３５に示した色バランス補正部６１の第１の構成例による動作を説明するフローチャートである。
【図４３】画像合成部６３Ｒによる色画像合成処理を説明するフローチャートである。
【符号の説明】
【０１１９】
７  画像処理部，  １４  制御部，  １６  磁気ディスク，  １７  光ディスク，  １８  光磁気ディスク，  １９  半導体メモリ，  ６１  色バランス補正部，  ６２  感度別色画像生成部，  ６３Ｒ，６３Ｇ，６３Ｂ  画像合成部，  ７１  色バランス算出部，  ７２  色バランス調整部，  ８１  感度別色バランス算出部，  ８２  感度別色バランス情報合成部，  ８３  色バランス調整部，  ９１  加算部，  ９２  合成感度補償部
【図１】
2007209012.tif 000003
【図２】
2007209012.tif 000004
【図３】
2007209012.tif 000005
【図４】
2007209012.tif 000006
【図５】
2007209012.tif 000007
【図６】
2007209012.tif 000008
【図７】
2007209012.tif 000009
【図８】
2007209012.tif 000010
【図９】
2007209012.tif 000011
【図１０】
2007209012.tif 000012
【図１１】
2007209012.tif 000013
【図１２】
2007209012.tif 000014
【図１３】
2007209012.tif 000015
【図１４】
2007209012.tif 000016
【図１５】
2007209012.tif 000017
【図１６】
2007209012.tif 000018
【図１７】
2007209012.tif 000019
【図１８】
2007209012.tif 000020
【図１９】
2007209012.tif 000021
【図２０】
2007209012.tif 000022
【図２１】
2007209012.tif 000023
【図２２】
2007209012.tif 000024
【図２３】
2007209012.tif 000025
【図２４】
2007209012.tif 000026
【図２５】
2007209012.tif 000027
【図２６】
2007209012.tif 000028
【図２７】
2007209012.tif 000029
【図２８】
2007209012.tif 000030
【図２９】
2007209012.tif 000031
【図３０】
2007209012.tif 000032
【図３１】
2007209012.tif 000033
【図３２】
2007209012.tif 000034
【図３３】
2007209012.tif 000035
【図３４】
2007209012.tif 000036
【図３５】
2007209012.tif 000037
【図３６】
2007209012.tif 000038
【図３７】
2007209012.tif 000039
【図３８】
2007209012.tif 000040
【図３９】
2007209012.tif 000041
【図４０】
2007209012.tif 000042
【図４１】
2007209012.tif 000043
【図４２】
2007209012.tif 000044
【図４３】
2007209012.tif 000045